【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
ベースであって、
デブリビンを有するロボット掃除機を受けて支持するための受け面を有し、該ロボット掃除機がドッキング位置で該受け面に受けられている場合に該ロボット掃除機の該デブリビンと空気的につながるよう配置された排出吸気口を規定するランプと、
前記排出吸気口と空気的に接続された、空圧デブリ吸入導管の第一導管部と、
吸気口と排気口とを有し、該吸気口から受けた空気を該排気口から出すエアムーバと、
を備えるベースと、
前記ベースに取り付けられたキャニスタであって、該キャニスタが前記ベースに取り付けられている場合に前記第一導管部と空気的につながって前記空圧デブリ吸入導管を形成するよう配置された、該空圧デブリ吸入導管の第二導管部と、
前記キャニスタ内に配置され、前記空圧デブリ吸入導管の前記第二導管部の出口に取り付けられた吸気開口を有し、受けた空気流からデブリを受け取るよう構成されたフィルタバッグと、
を備える排出ステーション。
【請求項２】
前記フィルタバッグは使い捨てであり、紙又は生地で作られている、
請求項１に記載の排出ステーション。
【請求項３】
前記フィルタバッグは、デブリ−フリー空気流が前記エアムーバの前記吸気口に接続された排気導管を通して該フィルタバッグから出られるように多孔質である、
請求項１に記載の排出ステーション。
【請求項４】
前記フィルタバッグは、該フィルタバッグの前記吸気開口を前記第二導管部の前記出口に取り付けるよう構成された接続具を備える、
請求項１に記載の排出ステーション。
【請求項５】
前記キャニスタは、アクセス扉と、前記フィルタバッグの有無を検出するよう構成されたフィルタバッグ検出装置と通信して該フィルタバッグが無い場合に該キャニスタの該アクセス扉が閉じるのを防止する制御装置とを備える、
請求項１に記載の排出ステーション。
【請求項６】
前記検出装置は光発信器及び光検出器を含む、
請求項５に記載の排出ステーション。
【請求項７】
前記アクセス扉が閉じるのを防止する第一位置と、該アクセス扉が閉じることを可能にする第二位置との間で可動である接続具を更に備える、
請求項５に記載の排出ステーション。
【請求項８】
前記キャニスタの内壁は、該内壁に配置されて該内壁から該キャニスタ内に伸びて前記フィルタバッグと該内壁との間の空隙を維持するよう構成された突出部を含む、
請求項１に記載の排出ステーション。
【請求項９】
前記突出部は、前記キャニスタの長さに亘って鉛直に伸びる細長いリブである、
請求項８に記載の排出ステーション。
【請求項１０】
前記キャニスタは台形状の断面を有する、
請求項１に記載の排出ステーション。
【請求項１１】
前記キャニスタ及び前記ベースは前記排出ステーションの高さを規定し、該キャニスタは該排出ステーションの該高さの半分を超える高さを規定する、
請求項１に記載の排出ステーション。
【請求項１２】
前記キャニスタは前記排出ステーションの前記高さの少なくとも三分の二の高さを規定する、
請求項１１に記載の排出ステーション。
【請求項１３】
前記ランプは、前記ロボット掃除機がドッキング位置にある場合に空気的に前記排出吸気口及び該ロボット掃除機の収集開口を密閉するシールを更に備える、
請求項１に記載の排出ステーション。
【請求項１４】
前記ランプは、
前記受け面に配置され、前記ロボット掃除機が前記ドッキング位置に受けられている場合に該ロボット掃除機の一以上の対応する電気接点と接触するよう配列された、一以上の充電接点と、
前記受け面に配置され、前記ロボット掃除機が前記ドッキング位置に受けられている場合に、前記排出吸気口が該ロボット掃除機の前記デブリビンと空気的につながり、前記一以上の充電接点が該ロボット掃除機の前記一以上の対応する電気接点に電気的に接続されるように、受けた該ロボット掃除機を配向するよう配列された一以上のアライメント形状と、
を更に備える、
請求項１に記載の排出ステーション。
【請求項１５】
前記一以上のアライメント形状は、
前記ロボット掃除機が前記ドッキング位置に向かっている間該ロボット掃除機の車輪を受け入れる車輪ランプと、
前記ロボット掃除機がドッキング位置にある場合に該ロボット掃除機の前記車輪を支持する車輪受け台と、
を備える、
請求項１４に記載の排出ステーション。
【請求項１６】
前記エアムーバ及び前記一以上の充電接点と通信し、該一以上の充電接点と前記一以上の対応する電気接点との間の電気的接続の通知を受信した場合に、空気を動かすために該エアムーバを始動させる制御装置を更に備える、
請求項１４に記載の排出ステーション。
【請求項１７】
ベースであって、
デブリビンを有するロボット掃除機を受けて支持するための受け面を有し、該ロボット掃除機がドッキング位置で該受け面に受けられている場合に該ロボット掃除機の該デブリビンと空気的につながるよう配置された排出吸気口を規定するランプと、
前記排出吸気口と空気的に接続された、空圧デブリ吸入導管の第一導管部と、
吸気口と排気口とを有し、該吸気口から受けた空気を該排気口から出すエアムーバと、
前記エアムーバの前記排気口と空気的に接続された粒子フィルタと、
を備えるベースと、
前記ベースに取り外し可能に取り付けられたキャニスタであって、
前記キャニスタが前記ベースに取り付けられている場合に、前記第一導管部と空気的につながって前記空圧デブリ吸入導管を形成するよう配置された、該空圧デブリ吸入導管の第二導管部と、
前記空圧デブリ吸入導管の前記第二導管部と空気連通し、受けた空気流からデブリを分離する分離装置と、
前記分離装置と空気連通し、前記キャニスタが前記ベースに取り付けられている場合に前記エアムーバの前記吸気口と空気的に接続するよう配置された排気導管と、
前記分離装置と空気連通する収集ビンと、
を備えるキャニスタと、
を備える排出ステーション。
【請求項１８】
前記分離装置は、少なくとも一つの衝突壁と、前記空気流からデブリを分離するために該空気流を前記空圧デブリ吸入導管の前記第二導管部から該少なくとも一つの衝突壁に向かわせるよう配置された溝とを規定する、
請求項１７に記載の排出ステーション。
【請求項１９】
前記少なくとも一つの衝突壁は、実質円筒形の形状を有する分離ビンを規定する、
請求項１８に記載の排出ステーション。
【請求項２０】
前記分離装置は、開放中央領域を規定し、前記空気流からデブリを除去するために前記空圧デブリ吸入導管の前記第二導管部から該空気流を受けるよう配置された環状フィルタ壁を備える、
請求項１７に記載の排出ステーション。
【請求項２１】
前記分離装置は、他の前記粒子フィルタより大きい粒子をろ過するもう一つの粒子フィルタを備える、
請求項１７に記載の排出ステーション。
【請求項２２】
前記分離装置は、前記空気流からデブリを除去するために前記空圧デブリ吸入導管の前記第二導管部から該空気流を受けるよう配置されたフィルタバッグを含む、
請求項１７に記載の排出ステーション。
【請求項２３】
前記収集ビンは、デブリを該収集ビンに収集するための閉位置と、収集したデブリを該収集ビンから取り出すための開位置との間で可動である、デブリ排出扉を備える、
請求項１７に記載の排出ステーション。
【請求項２４】
前記キャニスタ及び前記ベースは台形状の断面を有する、
請求項１７に記載の排出ステーション。
【請求項２５】
前記キャニスタ及び前記ベースは前記排出ステーションの高さを規定し、該キャニスタは該排出ステーションの該高さの半分を超える高さを規定する、
請求項１７に記載の排出ステーション。
【請求項２６】
前記キャニスタは前記排出ステーションの前記高さの少なくとも三分の二の高さを規定する、
請求項２５に記載の排出ステーション。
【請求項２７】
前記ランプは、前記ロボット掃除機がドッキング位置にある場合に空気的に前記排出吸気口及び該ロボット掃除機の収集開口を密閉するシールを更に備える、
請求項１７に記載の排出ステーション。
【請求項２８】
前記ランプは、
前記受け面に配置され、前記ロボット掃除機が前記ドッキング位置に受けられている場合に該ロボット掃除機の一以上の対応する電気接点と接触するよう配列された、一以上の充電接点と、
前記受け面に配置され、前記ロボット掃除機が前記ドッキング位置に受けられている場合に、前記排出吸気口が該ロボット掃除機の前記デブリビンと空気的につながり、前記一以上の充電接点が該ロボット掃除機の前記一以上の対応する電気接点に電気的に接続されるように、受けた該ロボット掃除機を配向するよう配列された一以上のアライメント形状と、
を更に備える、
請求項１７に記載の排出ステーション。
【請求項２９】
前記一以上のアライメント形状は、
前記ロボット掃除機が前記ドッキング位置に向かっている間該ロボット掃除機の車輪を受け入れる車輪ランプと、
前記ロボット掃除機がドッキング位置にある場合に該ロボット掃除機の前記車輪を支持する車輪受け台と、
を備える、
請求項２８に記載の排出ステーション。
【請求項３０】
前記エアムーバ及び前記一以上の充電接点と通信し、該一以上の充電接点と前記一以上の対応する電気接点との間の電気的接続の通知を受信した場合に、空気を動かすために該エアムーバを始動させる制御装置を更に備える、
請求項２８に記載の排出ステーション。